(57)【要約】【課題】省スペースおよび低コストで発熱体からの熱の放出を促進できる放熱構造を搭載する照明装置を提供すること【解決手段】照明装置１はＬＥＤ２を搭載するＬＥＤ基板３と、ＬＥＤ２に駆動電力を供給するＡＣ／ＤＣコンバータ５およびＬＥＤ駆動回路６を備える。ＡＣ／ＤＣコンバータ５の１次側には給電用ケーブル１０、１１を介して交流電力が供給される。給電用ケーブル１０はＡＣ／ＤＣコンバータ５に交流電力を供給する給電用ケーブル本体１０ａと、給電用ケーブル本体１０ａから分岐する分岐ケーブル（放熱ケーブル）１０ｂを備える。分岐ケーブル１０ｂはケーブル心線１３を露出させた露出部分１３ａが絶縁性熱伝導性部材１８を介してＬＥＤ基板３に固定されている。ＬＥＤ２からの熱は分岐ケーブル１０ｂに伝わり、分岐ケーブル１０ｂおよび給電用ケーブル本体１０ａから放出される。【選択図】図１
2015099755.tif 000002
【特許請求の範囲】
【請求項１】
電力変換器を介して供給される電力により動作し、動作状態において発熱を伴う発熱体の放熱構造において、
前記電力変換器に電力を供給するためのケーブルと、
前記発熱体からの熱を受ける受熱部分を備える放熱ケーブルと、を有することを特徴とする放熱構造。
【請求項２】
請求項１において、
前記受熱部分は、前記放熱ケーブルの絶縁被覆を部分的に除去して露出させたケーブル心線の露出部分であることを特徴とする放熱構造。
【請求項３】
請求項２において、
前記ケーブル心線の露出部分に当接した状態で当該ケーブル心線の露出部分と前記発熱体との間に配置されている絶縁性熱伝導性部材を備えることを特徴とする放熱構造。
【請求項４】
請求項１ないし３のうちのいずれかの項において、
前記ケーブルは、前記電力変換器に前記電力を供給するケーブル本体および当該ケーブル本体から分岐させた分岐ケーブルを備え、
前記分岐ケーブルは、前記放熱ケーブルであることを特徴とする放熱構造。
【請求項５】
請求項１ないし３のうちのいずれかの項において、
前記ケーブルは、前記電力変換器に前記電力を供給する給電用ケーブルとアースケーブルとを備える複合ケーブルであり、
前記アースケーブルは、前記放熱ケーブルであることを特徴とする放熱構造。
【請求項６】
請求項１ないし３のうちのいずれかの項において、
前記ケーブルは、前記放熱ケーブルであることを特徴とする放熱構造。
【請求項７】
請求項１ないし６のうちのいずれかの項において、
前記受熱部分は、前記発熱体を支持している支持部材に固定されていることを特徴とする放熱構造。
【請求項８】
請求項１ないし６のうちのいずれかの項において、
前記受熱部分は、前記発熱体に固定されていることを特徴とする放熱構造。
【請求項９】
請求項１ないし３のうちのいずれかの項において、
前記ケーブルは、前記電力変換器に前記電力を供給するケーブル本体並びに当該ケーブル本体から分岐させた第１の分岐ケーブルおよび第２の分岐ケーブルを備え、
前記第１の分岐ケーブルは、前記放熱ケーブルであり、
前記第２の分岐ケーブルは、動作状態において発熱を伴う第２の発熱体からの熱を受ける第２の受熱部分が設けられた第２の放熱ケーブルであることを特徴とする放熱構造。
【請求項１０】
請求項４ないし６のうちのいずれかの項に記載の放熱構造を有しており、
前記電力変換器は、ＡＣ／ＤＣコンバータであり、
前記発熱体は、ＬＥＤであり、
前記受熱部分は、前記ＬＥＤが支持されている放熱基板に固定されていることを特徴とする照明装置。
【発明の詳細な説明】
【技術分野】
【０００１】
本発明は、ＬＥＤなど動作状態で発熱する発熱体の熱を放出するための放熱構造に関する。また、かかる放熱構造を有する照明装置に関する。
【背景技術】
【０００２】
照明装置の光源として用いられるＬＥＤは、動作状態における自己の発熱に起因して損傷したり、素子の寿命が短縮したりすることがある。従って、照明装置にはＬＥＤからの熱を放出するための放熱構造が搭載されている。特許文献１に記載の照明装置では、ＬＥＤを搭載した光源モジュールの熱を、光源モジュールに当接させた熱伝導シートを介して熱伝導部材に伝達し、熱伝導部材から放出している。熱伝導部材は内壁に毛細管構造を備えた密閉容器に作動液を真空封入したヒートパイプである。
【先行技術文献】
【特許文献】
【０００３】
【特許文献１】特開２００９−１６０９１号公報
【発明の概要】
【発明が解決しようとする課題】
【０００４】
ヒートパイプを搭載して発熱体からの放熱を促進する特許文献１の放熱構造では、ヒートパイプを搭載するためのスペースが必要になり、装置の大型化を招くという問題がある。
【０００５】
以上の点に鑑みて、本発明の課題は、省スペースおよび低コストで発熱体からの熱の放出を促進できる放熱構造を提供することにある。また、このような放熱構造を有する照明装置を提案することにある。
【課題を解決するための手段】
【０００６】
上記課題を解決するために、本発明は、電力変換器を介して供給される電力により動作し、動作状態において発熱を伴う発熱体の放熱構造において、前記電力変換器に電力を供給するためのケーブルと、前記発熱体からの熱を受ける受熱部分を備える放熱ケーブルと、を有することを特徴とする。
【０００７】
本発明では、ケーブルを発熱体からの熱を放出する放熱部材（放熱ケーブル）として用いる。ここで、ケーブルは銅線などの熱伝導率の高い金属をケーブル心線とするものであり、放熱部材として適している。従って、ケーブルの一部分を発熱体からの熱を受ける受熱部分として、例えば、発熱体からの熱を受けることが可能な位置に配置しておくことにより、ケーブルを介して発熱体からの熱を放出できる。
【０００８】
本発明において、前記受熱部分は、前記ケーブルの絶縁被覆を部分的に除去して露出させたケーブル心線の露出部分であることが望ましい。このようにすれば、露出部分を介してケーブル心線に発熱体の熱を受容しやすい。
【０００９】
本発明において、前記ケーブル心線の露出部分に当接した状態で当該ケーブル心線の露出部分と前記発熱体との間に配置されている絶縁性熱伝導性部材を備えることが望ましい。このようにすれば、ケーブル心線の露出部分が発熱体などに接触して短絡することを防止できる。また、発熱体からの熱を、絶縁性熱伝導性部材を介して、ケーブル心線に伝達できる。
【００１０】
本発明において、前記ケーブルは、前記電力変換器に前記電力を供給するケーブル本体および当該ケーブル本体から分岐させた分岐ケーブルを備え、前記分岐ケーブルは、前記放熱ケーブルとすることができる。このようにすれば、分岐ケーブルを延ばすことにより、ケーブル本体および分岐ケーブルからなるケーブル全体のケーブル心線の熱容量を大きくすることができる。従って、分岐ケーブルに受熱部分を設けて、発熱体からの熱を受けることが可能な位置に配置しておくことにより、ケーブルを介して発熱体からの熱を放出することが容易となる。
【００１１】
本発明において、前記ケーブルは、前記電力変換器に前記電力を供給する給電用ケーブルとアースケーブルとを備える複合ケーブルであり、前記アースケーブルは、前記放熱ケーブルとすることができる。アースケーブルも給電用ケーブルと同様に銅線などの熱伝導率の高い金属をケーブル心線とするものであり、放熱部材として適している。従って、アースケーブルに受熱部分を設けてこの受熱部分を発熱体からの熱を受けることが可能な位置に配置しておくことにより、発熱体からの熱を、アースケーブルを介して放出できる。また、アースケーブルに受熱部分を設けた場合には、受熱部分を発熱体の近傍などに配置する際に、アースケーブルを発熱体や発熱体の駆動回路などに接続して、これらのアースを確保することが可能になる。
【００１２】
本発明において、前記ケーブルは、前記放熱ケーブルとすることができる。すなわち、電力変換器に電源電力などを供給するためのケーブルを発熱体からの熱を放出する放熱部材とすることができる。このようにした場合にも、ケーブルを延ばすことによりケーブル全体のケーブル心線の熱容量を大きくすることができる。従って、ケーブルに受熱部分を設けて、発熱体からの熱を受けることが可能な位置に配置しておくことにより、ケーブルを介して発熱体からの熱を放出することが容易となる。
【００１３】
本発明において、前記受熱部分は、前記発熱体に固定されていてもよい。このようにすれば、受熱部分は、発熱体に接した状態で発熱体からの熱を受けることができる。
【００１４】
本発明において、前記ケーブルは、前記電力変換器に前記電力を供給するケーブル本体並びに当該ケーブル本体から分岐させた第１の分岐ケーブルおよび第２の分岐ケーブルを備え、前記第１の分岐ケーブルは、前記放熱ケーブルであり、前記第２の分岐ケーブルは、動作状態において発熱を伴う第２の発熱体からの熱を受ける第２の受熱部分が設けられた第２の放熱ケーブルとすることができる。このようにすれば、第２の発熱体からの熱を、ケーブルを介して放出できる。
【００１５】
次に、本発明の照明装置は、上記の放熱構造を有しており、前記電力変換器は、ＡＣ／ＤＣコンバータであり、前記発熱体は、ＬＥＤであり、前記受熱部分は、前記ＬＥＤが支持されている放熱基板に固定されていることを特徴とする。
【００１６】
本発明によれば、ＬＥＤからの熱を放熱基板および放熱ケーブルを介して放出できる。また、受熱部分を放熱基板に固定しているので、受熱部分を支持するための支持部材を新たに設けずに、受熱部分を発熱体の熱を受けやすい発熱体の近傍の配置できる。
【発明の効果】
【００１７】
本発明では、ケーブルを放熱部材（放熱ケーブル）として用いているので、放熱部材を設けるコストを抑制できる。また、放熱部材がケーブルなので、その引き回しが容易であり、狭いスペースを利用して設置できる。
【図面の簡単な説明】
【００１８】
【図１】本発明を適用した実施例１の照明装置の説明図である。
【図２】本発明を適用した実施例２の照明装置の説明図である。
【図３】本発明を適用した実施例３の照明装置の説明図である。
【発明を実施するための形態】
【００１９】
以下に、図面を参照して本発明の実施の形態の照明装置を説明する。
【００２０】
（実施例１）
図１は本発明を適用した実施例１の照明装置の説明図である。図１に示すように、本例の照明装置１は、光源となるＬＥＤ（発熱体）２と、表面にＬＥＤ２が搭載されたＬＥＤ基板（支持部材）３と、ＬＥＤ２に駆動電力を供給するための電源回路４を有している。電源回路４は、ＡＣ／ＤＣコンバータ（電力変換器）５と、ＬＥＤ駆動回路６を備えている。
【００２１】
ＬＥＤ基板３は、アルミニウムの板材の表面に絶縁被膜を形成し、その上に銅箔等により配線パターンを形成した放熱基板である。
【００２２】
ＡＣ／ＤＣコンバータ５は、1次側に交流電力である電源電力（電力）の供給を受け、２次側から予め定めた設定電圧および設定電流の直流電力を供給する。ＡＣ／ＤＣコンバータ５には、建物内に配線されている商用の電力線７のコンセント７ａから２本の給電用ケーブル１０、１１を介して１００Ｖの交流電力が供給される。各給電用ケーブル１０、１１は、ケーブル心線１３を被覆する絶縁被覆１４を備える被覆ケーブルである。ケーブル心線１３は銅線である。ＡＣ／ＤＣコンバータ５からの直流電力は回路基板（不図示）に形成された配線パターン９などを介してＬＥＤ駆動回路６に入力される。
【００２３】
ＬＥＤ駆動回路６は、ＬＥＤ２をＰＷＭ駆動するものである。ＬＥＤ２を駆動するＰＷＭ駆動信号を出力するＬＥＤ制御回路１５と、ＰＷＭ駆動信号に基づいてＬＥＤ２に駆動電力を供給する電力供給回路１６を備えている。
【００２４】
ここで、２本の給電用ケーブル１０、１１のうちの一方の給電用ケーブル（ケーブル）１０は、電力線７とＡＣ／ＤＣコンバータ５を接続している給電用ケーブル本体（ケーブル本体）１０ａと、給電用ケーブル１０の途中位置から分岐した分岐ケーブル（放熱ケーブル）１０ｂを備えている。給電用ケーブル本体１０ａは電力線７からＡＣ／ＤＣコンバータ５への交流電力の供給に用いられている。分岐ケーブル１０ｂは、被覆ケーブルであり、給電用ケーブル本体１０ａと同一のケーブル心線１３を絶縁被覆１４で被覆した構造を備える。給電用ケーブル本体１０ａのケーブル心線１３と分岐ケーブル１０ｂのケーブル心線１３とは連続している。
【００２５】
分岐ケーブル１０ｂは、分岐位置からＬＥＤ基板３の側に向かって引き回されており、その先端部分はＬＥＤ基板３の裏面３ａに固定されている。ここで、分岐ケーブル１０ｂの先端部分は、絶縁被覆１４を部分的に剥がしてケーブル心線１３を露出させたケーブル心線１３の露出部分１３ａとなっており、ＬＥＤ２からの熱を受ける受熱部分となっている。ケーブル心線１３の露出部分１３ａ（受熱部分）をＬＥＤ基板３に搭載する際には、ケーブル心線１３の露出部分１３ａとＬＥＤ基板３の間に絶縁性熱伝導性部材１８が介在させられている。
【００２６】
絶縁性熱伝導性部材１８は、熱伝導性を有し且つ絶縁性を有する部材であって、例えば、熱伝導率が高く絶縁性を有するアルミナ、窒化アルミニウム、窒化ホウ素などである。本例では、これらから選択された絶縁性熱伝導性部材１８にケーブル心線１３の露出部分１３ａの全体を埋設させ、しかる後に、絶縁性熱伝導性部材１８をＬＥＤ基板３の裏面３ａに固着し、これにより、ケーブル心線１３の露出部分１３ａをＬＥＤ基板３に固定している。また、絶縁性熱伝導性部材１８を平坦な形状として、絶縁性熱伝導性部材１８とＬＥＤ基板３の当接面積を、ケーブル心線１３をそのままＬＥＤ基板３とを当接させる場合と比較して広くしている。なお、絶縁性熱伝導性部材１８としてシート状のものを用いることもできる。この場合には、シート状の絶縁性熱伝導性部材１８をＬＥＤ基板３の裏面３ａに固着させた後に、この絶縁性熱伝導性部材１８にケーブル心線１３の露出部分１３ａを当接させて固着し、これにより、ケーブル心線１３の露出部分１３ａ（分岐ケーブル１０ｂの受熱部分）をＬＥＤ基板３に固定する。
【００２７】
商用の電力線７から供給された交流電力は、ＡＣ／ＤＣコンバータ５により所定電圧および所定電流の直流電力に変換される。直流電力はＬＥＤ駆動回路６を介して駆動電力としてＬＥＤ２に供給される。駆動電力の供給によりＬＥＤ２は発光する。また、発光に伴いＬＥＤ２は発熱する。ここで、ＬＥＤ２からの熱はＬＥＤ基板３から放出される。また、ＬＥＤ２からの熱はＬＥＤ基板３および絶縁性熱伝導性部材１８を介して分岐ケーブル１０ｂに伝わる。従って、ＬＥＤ２からの熱は給電用ケーブル１０を介して放出される。
【００２８】
（作用効果）
本例では、給電用ケーブル本体１０ａおよび分岐ケーブル（放熱ケーブル）１０ｂを放熱部材として用いている。ここで、電源電力などの電力を供給するためにＡＣ／ＤＣコンバータ５の１次側に接続されている給電用ケーブル１０は銅線などの熱伝導率の高い金属をケーブル心線１３とするものであり放熱部材として適している。また、給電用ケーブル１０が備える分岐ケーブル１０ｂを延ばして引き回すことにより、給電用ケーブル本体１０ａおよび分岐ケーブル１０ｂのケーブル心線１３の熱容量が大きくなる。従って、ケーブル心線１３の露出部分１３ａをＬＥＤ基板３に固定することにより、給電用ケーブル１０を介してＬＥＤ２からの熱を放出できる。
【００２９】
また、本例では、分岐ケーブル１０ｂはＬＥＤ２の熱を受ける受熱部分とされた先端部分でケーブル心線１３が露出している。従って、ＬＥＤ基板３を介してＬＥＤ２から伝わる熱をケーブル心線１３で受容しやすい。さらに、本例では、分岐ケーブル１０ｂのケーブル心線１３とＬＥＤ基板３の間には絶縁性熱伝導性部材１８が介在しているので、分岐ケーブル１０ｂをＬＥＤ基板３に固定した場合でも、短絡することがない。また、ＬＥＤ２からＬＥＤ基板３を介して伝達される熱を、ケーブル心線１３よりも広い面積で受けて、ケーブル心線１３に伝達できる。
【００３０】
さらに、本例では、ＬＥＤ２を動作させるのに必要なＡＣ／ＤＣコンバータ５に接続されている給電用ケーブル１０を放熱部材としているので、放熱部材を設けるコストを抑制することができる。また、放熱部材が給電用ケーブル１０なので、その引き回しが容易であり、狭いスペースを利用して設置できる
【００３１】
なお、分岐ケーブル１０ｂについて、ケーブルの種類を給電用ケーブル本体１０ａとは異なるものに変更してもよい。この場合には、例えば、分岐ケーブル１０ｂのケーブル心線を給電用ケーブル本体１０ａのケーブル心線よりも太くし、分岐ケーブル１０ｂのケーブル心線の金属の体積を増加させることができる。このようにすれば、給電用ケーブル本体１０ａおよび分岐ケーブル１０ｂのケーブル心線１３の熱容量を大きくすることができる。
【００３２】
（実施例２）
本例の照明装置１Ａは、図２に示すように、光源となるＬＥＤ（発熱体）２と、表面にＬＥＤ２が搭載されたＬＥＤ基板（支持部材）３と、ＬＥＤ２に電力を供給するための電源回路４を有している。電源回路４は、ＡＣ／ＤＣコンバータ（電力変換器）５と、ＬＥＤ駆動回路６を備えている。なお、実施例２の照明装置１Ａは、実施例１の照明装置１と対応する構成を備えている。従って、対応する部分には同一の符号を付してその説明を省略する。
【００３３】
本例では、ＡＣ／ＤＣコンバータ５に交流電力（電力）を供給するためのケーブルとして電源ケーブル（ケーブル）８を備えている。電源ケーブル８は２本の給電用ケーブル１０、１１とアースケーブル（放熱ケーブル）１２が一体とされて絶縁被覆８ａにより覆われた複合ケーブルである。給電用ケーブル１０、１１およびアースケーブル１２は、それぞれケーブル心線１３を被覆する絶縁被覆１４を備える被覆ケーブルである。各ケーブル心線１３は銅線である。
【００３４】
ここで、アースケーブル１２は、複合ケーブルである電源ケーブル８から途中で分岐してＬＥＤ基板３の側に延設されている。また、アースケーブル１２の先端部分は、絶縁被覆１４が部分的に剥がされてケーブル心線１３を露出させたケーブル心線１３の露出部分１３ａとなっており、ＬＥＤ２からの熱を受ける受熱部分となっている。ケーブル心線１３の露出部分１３ａ（受熱部分）をＬＥＤ基板３に搭載する際には、絶縁性熱伝導性部材１８にケーブル心線１３の露出部分１３ａを埋設させ、しかる後に、絶縁性熱伝導性部材１８をＬＥＤ基板３の裏面３ａに固着させ、これにより、ケーブル心線１３の露出部分１３ａをＬＥＤ基板３に固定している。
【００３５】
（作用効果）
本例では、ＡＣ／ＤＣコンバータ５に交流電力を供給するための電源ケーブル８に含まれているアースケーブル１２を放熱部材（放熱ケーブル）として用いている。ここで、アースケーブル１２は銅線などの熱伝導率の高い金属をケーブル心線１３とするものであり放熱部材として適している。また、アースケーブル１２を延ばして引き回すことにより、アースケーブル１２のケーブル心線１３の熱容量が大きくなる。従って、ケーブル心線１３の露出部分１３ａをＬＥＤ基板３に固定することにより、アースケーブル１２を介してＬＥＤ２からの熱を放出できる。
【００３６】
また、本例では、アースケーブル１２はＬＥＤ２の熱を受ける受熱部分とされた先端部分で絶縁被覆１４が剥がされてケーブル心線１３が露出している。従って、ケーブル心線１３の露出部分１３ａにおいてＬＥＤ基板３を介してＬＥＤ２から伝わる熱をケーブル心線１３で受容しやすい。さらに、本例では、アースケーブル１２のケーブル心線１３とＬＥＤ基板３の間には絶縁性熱伝導性部材１８が介在しているので、分岐ケーブル１０ｂをＬＥＤ基板３に固定した場合でも、短絡することがない。また、ＬＥＤ２からＬＥＤ基板３を介して伝達される熱を、ケーブル心線１３よりも広い面積で受けて、ケーブル心線１３に伝達できる。
【００３７】
さらに、本例では、ＬＥＤ２を動作させるのに必要なＡＣ／ＤＣコンバータ５に電力を供給するための電源ケーブル８のアースケーブル１２を放熱部材としているので、放熱部材を設けるコストを抑制することができる。また、放熱部材がアースケーブル１２なので、その引き回しが容易であり、狭いスペースを利用して設置できる
【００３８】
なお、本例では、ＬＥＤ基板３の側に向かってアースケーブル１２を利用して、ＬＥＤ基板３のアースやＬＥＤ駆動回路６のアースを確保してもよい。
【００３９】
また、実施例１の給電用ケーブル１０と同様に、アースケーブル１２を途中から分岐させ、このアースケーブルの分岐ケーブルの先端部分を受熱部分としてＬＥＤ基板３に固定してもよい。
【００４０】
さらに、アースケーブル１２について、ケーブルの種類を給電用ケーブル１０、１１とは異なるものに変更してもよい。この場合には、例えば、アースケーブル１２のケーブル心線を給電用ケーブル１０、１１のケーブル心線よりも太くし、アースケーブル１２のケーブル心線の金属の体積を増加させることができる。このようにすれば、アースケーブル１２のケーブル心線１３の熱容量を大きくすることができる。
【００４１】
（実施例３）
本例の照明装置１Ｂは、図３に示すように、光源となるＬＥＤ（発熱体）２と、表面にＬＥＤ２が搭載されたＬＥＤ基板（支持部材）３と、ＬＥＤ２に電力を供給するための電源回路４を有している。電源回路４は、ＡＣ／ＤＣコンバータ（電力変換器）５と、ＬＥＤ駆動回路６を備えている。なお、実施例３の照明装置１Ｂは、実施例１の照明装置１と対応する構成を備えている。従って、対応する部分には同一の符号を付してその説明を省略する。
【００４２】
本例では、ＡＣ／ＤＣコンバータ５と電力線７とを接続している給電用ケーブル（放熱ケーブル）１０は、それ自体がＬＥＤ基板３の側に延設されて引き回されている。また、給電用ケーブル１０の途中部分がＬＥＤ基板３の裏面３ａに固定されている。ここで、分岐ケーブル１０ｂの途中部分は、絶縁被覆１４を部分的に剥がしてケーブル心線１３を露出させたケーブル心線１３の露出部分１３ａとなっており、ＬＥＤ２からの熱を受ける受熱部分となっている。ケーブル心線１３の露出部分１３ａ（受熱部分）をＬＥＤ基板３に搭載する際には、絶縁性熱伝導性部材１８にケーブル心線１３の露出部分１３ａを埋設させ、しかる後に、絶縁性熱伝導性部材１８をＬＥＤ基板３の裏面３ａに固着させ、これにより、ケーブル心線１３の露出部分１３ａをＬＥＤ基板３に固定している。
【００４３】
（作用効果）
本例では、給電用ケーブル１０を放熱部材（放熱ケーブル）として用いている。ここで、電源電力などの電力を供給するためにＡＣ／ＤＣコンバータ５の１次側に接続されている給電用ケーブル１０は銅線などの熱伝導率の高い金属をケーブル心線１３とするものであり放熱部材として適している。また、給電用ケーブル１０を延ばして引き回すことにより、給電用ケーブル１０のケーブル心線１３の熱容量が大きくなる。従って、ケーブル心線１３の露出部分１３ａをＬＥＤ基板３に固定することにより、給電用ケーブル１０を介してＬＥＤ２からの熱を放出できる。
【００４４】
また、本例では、給電用ケーブル１０はＬＥＤ２の熱を受ける受熱部分とされた途中部分でケーブル心線１３が露出している。従って、ＬＥＤ基板３を介してＬＥＤ２から伝わる熱をケーブル心線１３で受容しやすい。さらに、本例では、給電用ケーブル１０のケーブル心線１３とＬＥＤ基板３の間には絶縁性熱伝導性部材１８が介在しているので、分岐ケーブル１０ｂをＬＥＤ基板３に固定した場合でも、短絡することがない。また、ＬＥＤ２からＬＥＤ基板３を介して伝達される熱を、ケーブル心線１３よりも広い面積で受けて、ケーブル心線１３に伝達できる。
【００４５】
さらに、本例では、ＬＥＤ２を動作させるのに必要なＡＣ／ＤＣコンバータ５に接続されている給電用ケーブル１０を放熱部材としているので、放熱部材を設けるコストを抑制することができる。また、放熱部材が給電用ケーブル１０なので、その引き回しが容易であり、狭いスペースを利用して設置できる。
【００４６】
（その他の実施の形態）
なお、給電用ケーブル１０およびアースケーブル１２の受熱部分は、ＬＥＤ２からの放射熱やＬＥＤ基板３などを介した伝熱を受けることが可能な位置に配置しておけばよく、その位置は上記の例に限られるものではない。
【００４７】
また、上記の例では、絶縁被覆１４を剥がしたケーブル心線１３の露出部分１３ａを受熱部分としているが、絶縁被覆１４を剥がさずに、ケーブル心線１３が被覆されたままの部分をＬＥＤ２からの熱を受ける受熱部分とすることもできる。ただし、ケーブル心線１３の露出部分１３ａを受熱部分とした方が、ＬＥＤ２の放熱を促進できる。
【００４８】
さらに、上記の例は、給電用ケーブル１０またはアースケーブル１２を介してＬＥＤ２からの熱を放出するものであるが、ＬＥＤ２をモータに替えた場合でも、給電用ケーブル１０またはアースケーブル１２を介してモータの熱を放出することができる。すなわち、ＡＣ／ＤＣコンバータなどの電力変換器を介してモータに駆動電力が供給される場合に、電力変換器に電源電力などの電力を供給するためのケーブルを利用して、モータからの熱を放出できる。
【００４９】
この場合には、給電用ケーブル１０またはアースケーブル１２に設けたケーブル心線１３の露出部分１３ａ（受熱部分）をモータケースに固定すれば、モータからの熱を、モータケースを介してケーブル心線１３の露出部分１３ａで受容できる。また、この場合にも、ケーブル心線１３の露出部分１３ａとモータケースの間に絶縁性熱伝導性部材１８を介在させてモータケースに固定すれば、モータからの熱の放出を促進できる。
【００５０】
ここで、実施例１では、給電用ケーブル１０は１本の分岐ケーブル１０ｂを備えているが、給電用ケーブルが２本の分岐ケーブルを備えていてもよい。この場合には、ＬＥＤ基板３に固定した第１の分岐ケーブル１０ｂとは異なる第２の分岐ケーブル（第２の放熱ケーブル）に、動作状態において発熱を伴うＬＥＤ駆動回路６（第２の発熱体）の熱を受ける受熱部分を設けることができる。このようにすれば、ＬＥＤ駆動回路６の熱を第２分岐ケーブルおよび給電用ケーブル本体１０ａを介して放出できる。また、この場合には、第２の分岐ケーブルを、照明装置１に隣接配置された別の照明装置１に搭載されているＬＥＤ２などの放熱に利用することもできる。
【００５１】
また、実施例１では、電力線７とＡＣ／ＤＣコンバータ５を接続している給電用ケーブルに受熱部分を設けているが、例えば、ＡＣ／ＤＣコンバータ５とＬＥＤ駆動回路６の間にＤＣ／ＤＣコンバータ（電力変換器）を有し、ＡＣ／ＤＣコンバータ５とＤＣ／ＤＣコンバータとの間が第２のケーブルで接続されている場合には、この第２のケーブルにＬＥＤ２からの熱を受ける受熱部分を設けてもよい。例えば、ＤＣ／ＤＣコンバータに電力を供給するための第２のケーブルを分岐ケーブルを備えるものとして、第２のケーブルの分岐ケーブルに受熱部分を設け、受熱部分をＬＥＤ基板３に固定してもよい。このようにすれば、ＬＥＤ２からの熱を第２のケーブルを介して放出することができる。
【符号の説明】
【００５２】
１・１Ａ・１Ｂ・・・照明装置
２・・・ＬＥＤ（発熱体）
３・・・ＬＥＤ基板（支持部材・放熱基板）
３ａ・・・裏面
４・・・電源回路
５・・・ＡＣ／ＤＣコンバータ（電力変換器）
６・・・ＬＥＤ駆動回路
７・・・電力線
７ａ・・・コンセント
８・・・電源ケーブル（複合ケーブル）
８ａ・・・絶縁被覆
９・・・配線パターン
１０・１１・・・給電用ケーブル（ケーブル）
１０ａ・・・給電用ケーブル本体（ケーブル本体）
１０ｂ・・・分岐ケーブル（放熱ケーブル）
１２・・・アースケーブル（ケーブル・放熱ケーブル）
１３・・・ケーブル心線
１３ａ・・・ケーブル心線の露出部分（受熱部分）
１４・・・絶縁被覆
１５・・・ＬＥＤ制御回路
１６・・・電力供給回路
１８・・・絶縁性熱伝導性部材
【図１】
2015099755.tif 000003
【図２】
2015099755.tif 000004
【図３】
2015099755.tif 000005